(57)【特許請求の範囲】
【請求項１】
機体の外郭をなす外枠と、当該外枠の前面側に開閉可能に組み付けられるとともに遊技盤がセットされる中枠と、当該中枠の前面側に開閉可能に組み付け整合されるとともに前記遊技盤を遊技機表側から透視可能とするガラス板からなる透視窓部が形成された前枠と、前記中枠の前面側において前記前枠の下部に組み付け整合されるとともに遊技機からの賞球が払出される球皿とを備え、前記遊技盤の前面には、打球発射装置によって遊技球が打球される遊技領域が形成されるとともに当該遊技領域を囲んで前記遊技球を前記遊技領域に誘導する誘導レールが敷設され、前記遊技領域には、その中央に図柄組み合わせゲームを行う図柄表示装置が配設されるとともに当該図柄表示装置の下方に始動入賞口が配設され、さらに前記始動入賞口の下方であって前記遊技領域の下方に大入賞口が配設され、前記遊技球は前記遊技盤を遊技機表側から見た場合における前記遊技領域の左方側をとおって前記遊技領域に到達するように前記誘導レールで誘導され、該誘導レールで誘導された遊技球が前記遊技領域に配設された各入賞口に入賞することによって前記球皿に払出される賞球は前記大入賞口の左下方に位置する前記球皿の出口を介して該球皿に払出され、前記遊技盤の前面であって前記誘導レールの外側は非遊技領域とされて当該非遊技領域に前記誘導レールに沿って左右一対の飾り部材が装着される遊技機において、
遊技機裏側には、前記遊技盤の下方であって、当該遊技盤を遊技機表側から見た場合の右側に、賞球の未払出し個数を管理する主制御基板が装着されており、
右側の飾り部材の下部となる前記遊技盤の右下隅には、前記賞球の未払出し個数に係る遊技関連情報を表示するための表示装置の装着部を設け、当該装着部に装着された前記表示装置は、前記大入賞口の右横に位置するとともに、前記主制御基板に接続されてその表示内容が制御され、当該表示装置の表示内容を遊技機表側から視認可能とした遊技機。
【請求項２】
前記装着部は、前記右側の飾り部材の後面側下部に形成され、
前記飾り部材には、前記装着部に装着された前記表示装置と対応する位置に前記飾り部材を貫通して形成された視認窓部が設けられており、
前記表示装置は、前記装着部に装着されることによって前記飾り部材の内部に収容され、前記視認窓部を介して表示内容が遊技機表側から視認可能とされ、
前記遊技盤には、前記装着部の形成部位に対応して前記表示装置と前記主制御基板とを接続する配線の挿通を可能とする貫通孔が形成されている請求項１に記載の遊技機。
【請求項３】
前記飾り部材の後面側には、当該飾り部材を前記遊技盤に装着するための装着突起が設けられており、
前記飾り部材は、前記遊技盤に設けられた装着穴に前記装着突起を填め込むことにより前記遊技盤に着脱自在に装着される請求項２に記載の遊技機。
【請求項４】
機体の外郭をなす外枠と、当該外枠の前面側に開閉可能に組み付けられるとともに遊技盤がセットされる中枠と、当該中枠の前面側に開閉可能に組み付け整合されるとともに前記遊技盤を遊技機表側から透視可能とするガラス板からなる透視窓部が形成された前枠と、前記中枠の前面側において前記前枠の下部に組み付け整合されるとともに遊技機からの賞球が払出される球皿とを備え、前記遊技盤の前面には、打球発射装置によって遊技球が打球される遊技領域が形成されるとともに当該遊技領域を囲んで前記遊技球を前記遊技領域に誘導する誘導レールが敷設され、前記遊技領域には、その中央に図柄組み合わせゲームを行う図柄表示装置が配設されるとともに当該図柄表示装置の下方に始動入賞口が配設され、さらに前記始動入賞口の下方であって前記遊技領域の下方に大入賞口が配設され、前記遊技球は前記遊技盤を遊技機表側から見た場合における前記遊技領域の左方側をとおって前記遊技領域に到達するように前記誘導レールで誘導され、該誘導レールで誘導された遊技球が前記遊技領域に配設された各入賞口に入賞することによって前記球皿に払出される賞球は前記大入賞口の左下方に位置する前記球皿の出口を介して該球皿に払出され、前記遊技盤の前面であって前記誘導レールの外側は非遊技領域とされて当該非遊技領域に前記誘導レールに沿って左右一対の飾り部材が装着される遊技機において、
遊技機裏側には、前記遊技盤の下方であって、当該遊技盤を遊技機表側から見た場合の右側に、賞球の未払出し個数を管理する主制御基板が装着されており、
前記賞球の未払出し個数に係る遊技関連情報を表示するための表示装置を、右側の飾り部材の下部であって、前記前枠を閉鎖したときに前記透視窓部の透視領域内となる前記遊技盤の右下隅に配置して前記大入賞口の右横に位置するようにし、前記表示装置は前記主制御基板に接続されてその表示内容が制御される遊技機。
【請求項５】
前記未払出し個数は、前記遊技盤に配設された各入賞口への入賞に基づき、各入賞口に対応する賞球数を合算した賞球総数として管理されており、
前記表示装置には、各入賞口へ遊技球が入賞する毎に当該入賞口に対応する賞球数を前記未払出し個数に加算した結果が表示されるとともに、１個の賞球が払出される毎に前記未払出し個数から減算した結果が表示される請求項１〜請求項４のうちいずれか一項に記載の遊技機。
【請求項６】
前記表示装置には、賞球の払出しエラーに係る遊技関連情報がさらに表示される請求項１〜請求項５のうちいずれか一項に記載の遊技機。
【発明の詳細な説明】
【０００１】
【発明の属する技術分野】
本発明は、遊技盤前面の非遊技領域に飾り部材が装着される遊技機に関するものである。
【０００２】
【従来の技術】
遊技機の一種であるパチンコ遊技機には、始動入賞口、大入賞口などの各種入賞口、あるいは、特別図柄表示装置などが配設される遊技盤が機内部に配置されている。そして、パチンコ遊技機では、前記入賞口への遊技球の入賞に伴い所定個数の遊技球（賞球）の払出しや図柄組み合わせゲームなどが行われるようになっている。
【０００３】
ところで、前記遊技盤の前面側にあっては、前記入賞口や特別図柄表示装置などが配設される略円形の領域を囲んで誘導レール（外レール）が敷設されており、当該領域はパチンコ遊技の主体となる遊技領域とされている。一方、前記誘導レールの外側は通常パチンコ遊技に何ら関与しない非遊技領域とされている。そのため、前記非遊技領域には、機内部に配置される前記遊技盤の意匠性を向上させるために装飾用の飾り部材を装着することがパチンコ遊技機の通常仕様となっている。
【０００４】
【発明が解決しようとする課題】
しかしながら、従来のパチンコ遊技機では前記遊技盤の非遊技領域に飾り部材が装着されているに過ぎず、前記非遊技領域はパチンコ遊技機の全体構成において所謂デッドスペースとなっていた。
【０００５】
そこで、従来のパチンコ遊技機の中には、前記飾り部材にレンズ部材としての機能を持たせて前記非遊技領域に取着されたランプ部材の表面を覆うことで電飾表示部を形成し、遊技状態（大当たり、リーチなど）に併せて点灯（点滅）／消灯させるものが知られている。しかしながら、このようなパチンコ遊技機では、前記非遊技領域を電飾表示部として利用しているに過ぎず、遊技者に対し遊技関連情報（例えば、賞球の未払出し個数など）などを表示する情報表示部として利用するという技術的思想は何ら存在していなかった。
【０００６】
一方、遊技関連情報を表示するための前記情報表示部（表示装置）は、遊技盤の遊技領域内や特別図柄表示装置内に設けることが従来から考え出されている。しかしながら、パチンコ遊技機の遊技性や組付性などを考慮した場合、前記情報表示部の設置場所としては、例えば、遊技者からその表示内容が視認しやすい場所、遊技の邪魔にならない場所、若しくは、配線接続などが容易な場所であることが好ましいと考えられる。そのため、パチンコ遊技機の限られたスペース内でこのような場所を確保することは非常に難しかった。
【０００７】
この発明は、このような従来の技術に存在する問題点に着目してなされたものであり、その目的は、遊技盤の非遊技領域を有効に利用して賞球の未払出し個数に係る遊技関連情報を遊技者に対し表示することができる遊技機を提供することにある。
【０００８】
【課題を解決するための手段】
上記問題点を解決するために、請求項１に記載の発明は、機体の外郭をなす外枠と、当該外枠の前面側に開閉可能に組み付けられるとともに遊技盤がセットされる中枠と、当該中枠の前面側に開閉可能に組み付け整合されるとともに前記遊技盤を遊技機表側から透視可能とするガラス板からなる透視窓部が形成された前枠と、前記中枠の前面側において前記前枠の下部に組み付け整合されるとともに遊技機からの賞球が払出される球皿とを備え、前記遊技盤の前面には、打球発射装置によって遊技球が打球される遊技領域が形成されるとともに当該遊技領域を囲んで前記遊技球を前記遊技領域に誘導する誘導レールが敷設され、前記遊技領域には、その中央に図柄組み合わせゲームを行う図柄表示装置が配設されるとともに当該図柄表示装置の下方に始動入賞口が配設され、さらに前記始動入賞口の下方であって前記遊技領域の下方に大入賞口が配設され、前記遊技球は前記遊技盤を遊技機表側から見た場合における前記遊技領域の左方側をとおって前記遊技領域に到達するように前記誘導レールで誘導され、該誘導レールで誘導された遊技球が前記遊技領域に配設された各入賞口に入賞することによって前記球皿に払出される賞球は前記大入賞口の左下方に位置する前記球皿の出口を介して該球皿に払出され、前記遊技盤の前面であって前記誘導レールの外側は非遊技領域とされて当該非遊技領域に前記誘導レールに沿って左右一対の飾り部材が装着される遊技機において、遊技機裏側には、前記遊技盤の下方であって、当該遊技盤を遊技機表側から見た場合の右側に、賞球の未払出し個数を管理する主制御基板が装着されており、右側の飾り部材の下部となる前記遊技盤の右下隅には、前記賞球の未払出し個数に係る遊技関連情報を表示するための表示装置の装着部を設け、当該装着部に装着された前記表示装置は、前記大入賞口の右横に位置するとともに、前記主制御基板に接続されてその表示内容が制御され、当該表示装置の表示内容を遊技機表側から視認可能とした。
【０００９】
請求項２に記載の発明は、請求項１に記載の遊技機において、装着部は、前記右側の飾り部材の後面側下部に形成され、前記飾り部材には、前記装着部に装着された前記表示装置と対応する位置に前記飾り部材を貫通して形成された視認窓部が設けられており、前記表示装置は、前記装着部に装着されることによって前記飾り部材の内部に収容され、前記視認窓部を介して表示内容が遊技機表側から視認可能とされ、前記遊技盤には、前記装着部の形成部位に対応して前記表示装置と前記主制御基板とを接続する配線の挿通を可能とする貫通孔が形成されている。
請求項３に記載の発明は、請求項２に記載の遊技機において、前記飾り部材の後面側には、当該飾り部材を前記遊技盤に装着するための装着突起が設けられており、前記飾り部材は、前記遊技盤に設けられた装着穴に前記装着突起を填め込むことにより前記遊技盤に着脱自在に装着される。
【００１０】
請求項４に記載の発明は、機体の外郭をなす外枠と、当該外枠の前面側に開閉可能に組み付けられるとともに遊技盤がセットされる中枠と、当該中枠の前面側に開閉可能に組み付け整合されるとともに前記遊技盤を遊技機表側から透視可能とするガラス板からなる透視窓部が形成された前枠と、前記中枠の前面側において前記前枠の下部に組み付け整合されるとともに遊技機からの賞球が払出される球皿とを備え、前記遊技盤の前面には、打球発射装置によって遊技球が打球される遊技領域が形成されるとともに当該遊技領域を囲んで前記遊技球を前記遊技領域に誘導する誘導レールが敷設され、前記遊技領域には、その中央に図柄組み合わせゲームを行う図柄表示装置が配設されるとともに当該図柄表示装置の下方に始動入賞口が配設され、さらに前記始動入賞口の下方であって前記遊技領域の下方に大入賞口が配設され、前記遊技球は前記遊技盤を遊技機表側から見た場合における前記遊技領域の左方側をとおって前記遊技領域に到達するように前記誘導レールで誘導され、該誘導レールで誘導された遊技球が前記遊技領域に配設された各入賞口に入賞することによって前記球皿に払出される賞球は前記大入賞口の左下方に位置する前記球皿の出口を介して該球皿に払出され、前記遊技盤の前面であって前記誘導レールの外側は非遊技領域とされて当該非遊技領域に前記誘導レールに沿って左右一対の飾り部材が装着される遊技機において、遊技機裏側には、前記遊技盤の下方であって、当該遊技盤を遊技機表側から見た場合の右側に、賞球の未払出し個数を管理する主制御基板が装着されており、前記賞球の未払出し個数に係る遊技関連情報を表示するための表示装置を、右側の飾り部材の下部であって、前記前枠を閉鎖したときに前記透視窓部の透視領域内となる前記遊技盤の右下隅に配置して前記大入賞口の右横に位置するようにし、前記表示装置は前記主制御基板に接続されてその表示内容が制御される。
【００１１】
請求項５に記載の発明は、請求項１〜請求項４のうちいずれか一項に記載の遊技機において、前記未払出し個数は、前記遊技盤に配設された各入賞口への入賞に基づき、各入賞口に対応する賞球数を合算した賞球総数として管理されており、前記表示装置には、各入賞口へ遊技球が入賞する毎に当該入賞口に対応する賞球数を前記未払出し個数に加算した結果が表示されるとともに、１個の賞球が払出される毎に前記未払出し個数から減算した結果が表示される。
【００１２】
請求項６に記載の発明は、請求項１〜請求項５のうちいずれか一項に記載の遊技機において、表示装置には、賞球の払出しエラーに係る遊技関連情報がさらに表示される。
【００１３】
【発明の実施の形態】
（第１の実施形態）
以下、本発明を遊技機の一種であるパチンコ遊技機（以下、「遊技機」という。）に具体化した第１の実施形態を図１〜図５に基づいて詳細に説明する。なお、以下の説明において、「上」「下」「左」「右」「前」「後」は、遊技機１０の機表側から（遊技者側から）見た場合の「上」「下」「左」「右」「前」「後」を示すものとする。
【００１４】
図１に略示するように、遊技機１０において機体の外郭をなす外枠１１の開口前面側には、各種の遊技用構成部材をセットする縦長方形の中枠１２が開閉及び着脱可能に組み付けられている。そして、前記中枠１２の前面側には、機内部に配置された遊技盤１３を透視保護するための前枠１４と上球皿１５が共に横開き状態で開閉可能に組付け整合されている。さらに、前記中枠１２の下部には下球皿１６、打球発射装置１７等が装着されている。また、前記遊技機１０の機裏側（機内部）であって前記遊技盤１３の下方には、遊技機１０の遊技状態制御を行う主制御手段としての主基板１８が装着されている（図１に点線で示す。）。
【００１５】
そして、前記遊技盤１３の前面側には、図２に示すように前記打球発射装置１７から遊技球が打球されてパチンコ遊技の主体となる略円形の遊技領域Ｈ１が形成されており、当該遊技領域Ｈ１を囲んで誘導レール（外レール）１９が敷設されている。また、前記遊技領域Ｈ１の前面側略中央には、所定の図柄による図柄組み合わせゲームが行われる特別図柄表示装置２０が配設されている。そして、前記特別図柄表示装置２０の下方には始動入賞口２１及び大入賞口２２が配設されると共に、当該大入賞口２２の左右側方には普通入賞口２３，２４が配設されている。また、前記各入賞口２１〜２４の奥方には、当該入賞口２１〜２４に入賞した遊技球を検知する電磁式（又は機械式）の検知スイッチＳＷ１〜ＳＷ４が設けられている（図５に示す。）。
【００１６】
従って、前記遊技機１０では、前記検知スイッチＳＷ１〜ＳＷ４による遊技球の入賞検知に伴い前記各入賞口２１〜２４に各別に対応した所定個数の遊技球（賞球）が前記上球皿１５又は下球皿１６に払出されるようになっている。また、前記遊技機１０では、前記始動入賞口２１への遊技球の入賞検知がなされると前記特別図柄表示装置２０において図柄組み合わせゲームが行われるようになっている。
【００１７】
一方、前記遊技盤１３の前面側であって前記誘導レール１９の外側は、パチンコ遊技に直接関与しない非遊技領域Ｈ２とされている。また、前記非遊技領域Ｈ２には、前記誘導レール１９の外側に沿って左右一対の飾り部材２５が装着されている。そして、前記飾り部材２５は、前記誘導レール１９の外周に沿って略円弧状をなし、前記誘導レール１９の奥行き幅（前後幅）と略同一幅を有した形態でその内部が空洞となるように樹脂成形されている。なお、前記誘導レール１９の奥行き幅は、遊技球の球径よりも大きくなっている。また、前記飾り部材２５は、その表面が着色された不透明状に形成されており、前記飾り部材２５の内部の空洞が遊技者側から視認できないようになっている。なお、前記非遊技領域Ｈ２に装着された前記飾り部材２５は、遊技盤１３が機内部に配置された状態（図１の状態）で遊技者側からその外観の一部が視認でき、遊技機１０（遊技盤１３）の意匠性を向上させている。
【００１８】
そして、本実施形態では、前記非遊技領域Ｈ２であって前記遊技盤１３の右下隅には、遊技関連情報（本実施形態では賞球の未払出し個数）を表示する表示装置としての未払出し個数カウンタ（以下、「カウンタ」という。）２６が装着されている。なお、前記カウンタ２６は、前記遊技盤１３の右下隅に装着されると図１に示すように上球皿１５や大入賞口２２の近傍に配置される。また、前記カウンタ２６は前記飾り部材２５の内部（空洞内）に収納された形態で配置されている。
【００１９】
そして、前記飾り部材２５には、前記カウンタ２６の配置位置と対応する位置に前記飾り部材２５を貫通して形成された視認窓部としての貫通孔２５ａが設けられている。なお、前記貫通孔２５ａは、後述する表示部２８（前記カウンタ２６を構成する。）の外周よりも大きな長方形孔とされている。そして、前記カウンタ２６の表示内容（本実施形態では賞球の未払出し個数に対応する３桁の数値又はアルファベット）は、前記貫通孔２５ａを介して前記遊技機１０の機表側（遊技者側）から視認可能となっている。
【００２０】
なお、前記遊技関連情報とは、遊技状態（大当たり、リーチなど）に応じて適宜変動する情報のことであり、例えば、遊技機１０の設計時に定めた規定賞球数や規定大当たり確率などの仕様関連情報を意味するものではない。また、賞球の未払出し個数とは、前記各入賞口２１〜２４への遊技球の入賞に基づき払出される賞球のうち、未払出し状態にある賞球の総数を言う。
【００２１】
次に、前記カウンタ２６の具体的な構成について図３に基づき詳細に説明すると、前記カウンタ２６は略三角形状の表示基板２７を備えている。そして、前記表示基板２７の前面側（図３（ａ））には、英数字の表示を可能とする複数（本実施形態では３つ）の発光体２８ａ〜２８ｃから構成される表示部２８が備えられている。なお、前記発光体２８ａ〜２８ｃとしては、例えば、７セグメントＬＥＤなどが使用されており、本実施形態では前記表示部２８において３桁の数字（０〜９９９）又は３桁のアルファベット（例えば、「ＦＦＦ」）が表示されるようになっている。そして、前記表示部２８は図４（ｂ）に示すように支持台Ｄに支持されており、前記表示部２８の前面（英数字の表示面側）が前記貫通孔２５ａの前側開口縁の近傍に位置するように前記表示基板２７に対する高さが調整されている。
【００２２】
また、前記表示基板２７の後面側（図３（ｂ））には、前記主基板１８から延設された配線を接続するためのコネクタ２９が備えられている。さらに、前記表示基板２７には、複数（本実施形態では３カ所）の取着孔３０が設けられている。そして、このように構成された前記カウンタ２６は、前記遊技盤１３の非遊技領域Ｈ２に設けられた装着部Ｈに装着され、前記飾り部材２５の内部（空洞内）に配置されるようになっている。
【００２３】
次に、前記装着部Ｈの具体的な構成について図４に基づき詳細に説明すると、前記装着部Ｈは、前記遊技盤１３の右下隅（図２において）における前記非遊技領域Ｈ２に当該遊技盤１３を貫通して形成された貫通孔１３ａとされている。そして、前記貫通孔１３ａの形成位置は、前記遊技盤１３が機内部に配置された状態（図１の状態）で前記前枠１４に形成されたガラス板からなる透視窓部１４ａの領域内に前記カウンタ２６（表示部２８）が配置される位置となっている。
【００２４】
また、前記装着部Ｈを構成する貫通孔１３ａは、前記表示部２８の外周よりも大きく、前記表示部２８の挿通が可能な大きさで形成された略長方形孔とされている（図４（ａ）参照。）。そして、前記遊技盤１３の貫通孔１３ａは、前記遊技盤１３の前面側に装着された前記飾り部材２５の貫通孔２５ａと連通し、前記両孔１３ａ，２５ａにより前記カウンタ２６（表示部２８）の収納空間Ｓが形成されるようになっている（図４（ｂ）参照）。
【００２５】
従って、前記カウンタ２６（表示部２８）は、前記遊技盤１３の後面側（機裏側）から前記貫通孔１３ａに挿通され、前記収納空間Ｓ内に前記カウンタ２６（表示部２８）が収納された状態で前記取着孔３０を介してビス３２などにより前記遊技盤１３の後面側に対し装着される。即ち、前記カウンタ２６は、その装着部Ｈである前記貫通孔１３ａの形成部位に対応して装着されている。また、前記カウンタ２６は、前記ビス３２を取り外すことで前記遊技盤１３の後面側から脱着でき、前記装着部Ｈに対し着脱自在となっている。さらに、前記装着部Ｈは、前記主基板１８の取付位置の近傍に配置されており、当該主基板１８から前記カウンタ２６に配線接続するための配線３１の長さが短くできるようになっている。
【００２６】
次に、前記カウンタ２６に対し遊技関連情報として賞球の未払出し個数を表示するための電気的構成について図５に基づき説明する。
前記遊技機１０の機裏側（機内部）には、前記主基板１８、払出し制御基板３３及び球払出装置３４が装着されている。そして、前記払出し制御基板３３は、前記主基板１８からの制御信号（例えば、賞球数に対応する賞球制御信号など）に基づき前記球払出装置３４を駆動制御するための制御基板となっている。また、前記球払出装置３４は、前記払出し制御基板３３の駆動制御に基づき遊技球（賞球又は貸し球）を払出す装置であり、周知のとおり払出した遊技球を検出するための球計数センサ３４ａを備えて構成されている。
【００２７】
そして、前記主基板１８にはＣＰＵ１８ａが備えられており、当該ＣＰＵ１８ａには、前記各入賞口２１〜２４に設けられた各スイッチＳＷ１〜ＳＷ４からの入賞信号を入力する入力ポート１８ｂが接続されている。また、前記ＣＰＵ１８ａには出力ポート１８ｃが接続されており、当該出力ポート１８ｃを介して前記カウンタ２６及び払出し制御基板３３に各種制御信号が出力されるようになっている。
【００２８】
そして、前記主基板１８（入力ポート１８ｂ）には、前記球払出装置３４の球計数センサ３４ａが接続されており、前記球払出装置３４から１個の遊技球（賞球）が払い出される毎に出力される賞球払出し信号が入力されるようになっている。さらに、前記払出し制御基板３３と前記球払出装置３４は双方向に信号の入出力が可能な状態で接続されている。そして、前記払出し制御基板３３からは前記球払出装置３４に対し駆動制御に係る制御信号が、前記球払出装置３４からは前記払出し制御基板３３に対し前記賞球払出し信号がそれぞれ出力されるようになっている。
【００２９】
従って、前記各入賞口２１〜２４に遊技球が入賞すると、前記各スイッチＳＷ１〜ＳＷ４からは前記主基板１８のＣＰＵ１８ａに対し入力ポート１８ｂを介して入賞信号が出力される。そして、前記ＣＰＵ１８ａでは当該入賞信号に各別に対応する賞球数（例えば、５個、１０個、１５個など）を図示しない記憶手段から読み出すと共に、前記主基板１８は前記各入賞口２１〜２４に対応する前記賞球数を合算した賞球総数を管理（記憶保持）し、当該賞球総数が賞球の未払出し個数に相当する。また、前記主基板１８は、前記入賞信号を入力する毎に当該入賞信号に基づく賞球数を前記賞球総数に加算し新たな賞球総数の値とする。
【００３０】
そして、前記ＣＰＵ１８ａは、前記賞球総数を賞球の未払出し個数として前記カウンタ２６に表示すべく、当該カウンタ２６に対し制御信号を出力する。また、前記カウンタ２６では、前記制御信号を前記各発光体２８ａ〜２８ｃに表示する数値（又はアルファベット）に変換処理し、前記賞球総数に対応する賞球の未払出し個数を表示部２８に表示する。そのため、遊技者は前記表示部２８に表示された、例えば、「２５」などの数字に基づき２５個の賞球が未払出し状態であることを把握できる。
【００３１】
一方、前記ＣＰＵ１８ａは、前記入賞信号に基づき前記払出し制御基板３３に対し前記賞球制御信号を出力する。そして、前記払出し制御基板３３では、前記球払出装置３４を駆動制御するための制御信号を前記球払出装置３４に出力し、当該球払出装置３４により遊技球（賞球）の払出しが行われる。このとき、遊技球（賞球）の払出しを検知した前記球計数センサ３４ａからは、前記主基板１８及び払出し制御基板３３に対し前記賞球払出し信号が出力される。
【００３２】
そして、前記賞球払出し信号を入力した前記主基板１８（ＣＰＵ１８ａ）では、管理している前記賞球総数の値（例えば、「２５」）を減算（−１）し、減算後の賞球総数の値（「２４」）を新たな賞球総数の値として管理（記憶保持）する。また、前記ＣＰＵ１８ａは、減算後の賞球総数の値を表示すべく前記カウンタ２６に対し制御信号を出力し、前記カウンタ２６では当該制御信号に基づき表示部２８の表示を変更（例えば、「２５」→「２４」）する。そのため、遊技者は前記表示部２８に表示された数字の減少により賞球の払出しが行われていることを把握できる。
【００３３】
以下、同様に各入賞口２１〜２４に遊技球が入賞すると前記入賞信号に基づき前記賞球総数の値が加算されて前記表示部２８の数字が増加し、遊技球が１個払出される毎に前記賞球総数の値が減算されて前記表示部２８の数字が減少する。また、本実施形態においては主基板１８で管理される賞球総数の値が３桁の数値（９９９個）を越えると（１０００個以上になると）、前記表示部２８には３桁のアルファベット（例えば、ＦＦＦ）が表示される。従って、遊技者（又は遊技店の店員）は賞球の未払出し個数が１０００個以上であることを把握できる。そして、前記賞球総数の値が９９９個以下になると、前記表示部２８に表示された３桁のアルファベット（ＦＦＦ）は３桁の数値に変更され賞球の未払出し個数が数値で表示される。なお、前記主基板１８では、前記各入賞口２１〜２４に遊技球の入賞がなされず前記賞球総数の値が０（ゼロ）である場合、前記カウンタ２６に対し「０」を表示させるようになっている。
【００３４】
次に、前記装着部Ｈに対し前記カウンタ２６が着脱される態様を説明する。
まず、遊技機１０の組立時には、前記特別図柄表示装置２０、前記各入賞口２１〜２４並びに前記飾り部材２５が装着された後の前記遊技盤１３を前記中枠１２に装着する。次に、前記遊技盤１３の後面側から前記カウンタ２６を前記遊技盤１３の装着部Ｈ（貫通孔１３ａ）に位置決めする。そして、前記カウンタ２６は、前記主基板１８から延設された配線３１がコネクタ２９に接続された状態で前記遊技盤１３の後面側から前記貫通孔１３ａに挿通する。
【００３５】
また、前記貫通孔１３ａに挿通後の前記カウンタ２６は、その状態において前記表示基板２７の取着孔３０を介してビス３２などにより前記遊技盤１３の後面側に装着される（図４参照。）。その結果、装着後の前記カウンタ２６は、図１又は図２に示すように、前記飾り部材２５の貫通孔２５ａから前記表示部２８の表示内容が視認可能な状態とされる。そして、組立完了後の遊技機１０においてパチンコ遊技を開始すると、前記表示部２８には各入賞口２１〜２４における入賞検知や賞球の払出しに基づき変動する賞球の未払出し個数が随時遊技者に対し表示される。
【００３６】
一方、遊技機１０の機種変更に伴い前記遊技盤１３が交換される場合には、前記カウンタ２６を前記遊技盤１３から脱着する。即ち、前記カウンタ２６は前記ビス３２を取り外すことで前記装着部Ｈ（遊技盤１３の後面側）から脱着可能な状態となり、前記カウンタ２６を機裏側に向かって引き抜くことで脱着される。そして、前記遊技盤１３が交換された後、新たな遊技盤１３に設けられた装着部Ｈ（貫通孔１３ａ）に対し前述同様に主基板１８と配線接続状態の前記カウンタ２６を装着する。その結果、前記カウンタ２６では再び賞球の未払出し個数の表示が可能とされる。
【００３７】
さらに、機種変更に伴い主基板１８も前記遊技盤１３と同様に交換される場合には、前記カウンタ２６のコネクタ２９から前記配線３１を取り外すことで、前記カウンタ２６は、遊技盤１３及び主基板１８から独立した部品となる。そして、前記遊技盤１３及び主基板１８の交換後、前記カウンタ２６のコネクタ２９に新たな主基板１８からの配線３１を接続する。その後、前述同様に新たな遊技盤１３に設けられた装着部Ｈ（貫通孔１３ａ）に対し前記カウンタ２６を装着することで、前記カウンタ２６では再び賞球の未払出し個数の表示が可能となる。
【００３８】
従って、本実施形態によれば、以下の効果を得ることができる。
（１）前記遊技盤１３の非遊技領域Ｈ２には、遊技関連情報（賞球の未払出し個数）を表示するためのカウンタ２６が配置されている。そのため、遊技盤１３の非遊技領域Ｈ２を有効に利用して賞球の未払出し個数などの遊技関連情報を遊技者に表示し、非遊技領域Ｈ２を情報表示部として活用することができる。従って、遊技機１０におけるデッドスペースを減少させ、遊技機１０における限られたスペースを有効に利用することができる。
【００３９】
（２）また、前記カウンタ２６はパチンコ遊技に直接関与しない非遊技領域Ｈ２に配置されている。従って、前記カウンタ２６がパチンコ遊技の邪魔になることなく従来と同様に高い遊技性を維持することができる。また、前記カウンタ２６を例えば遊技盤１３の遊技領域Ｈ１に配置した場合に比して、前記遊技領域Ｈ１内を流下する遊技球が前記カウンタ２６の表示部２８上を通過することなく、カウンタ２６の表示内容を遊技者側から見易くすることができる。さらに、例えば特別図柄表示装置２０内に賞球の未払出し個数を表示させる場合に比して、特別図柄表示装置２０内で前記カウンタ２６が占有するスペースを排除することができ、当該スペースを特別図柄表示装置２０における大当たりやリーチなどの各種演出のために活用することができる。
【００４０】
（３）また、前記カウンタ２６は、前記主基板１８の取付位置の近傍に配置されている。そのため、主基板１８とカウンタ２６を配線接続するための配線３１を短くすることができる。従って、遊技機１０の組付性（配線の容易性）やメンテナンス性を向上させることができる。
【００４１】
（４）さらに、前記カウンタ２６は、上球皿１５や大入賞口２２の近傍における非遊技領域Ｈ２に配置されている。従って、遊技機１０の中で遊技中において遊技者の視線に入る部位の近傍に前記カウンタ２６が配置されることになり、前記カウンタ２６における表示内容の視認性を向上させることができる。
【００４２】
（５）前記カウンタ２６は、飾り部材２５の内部（空洞内）に収納された状態で配置されている。そのため、前記カウンタ２６は前記飾り部材２５で保護されることになり、前記遊技領域Ｈ１内に打球された遊技球と前記カウンタ２６との接触が回避でき、前記カウンタ２６の故障や破損などを抑制することができる。
【００４３】
（６）前記カウンタ２６は、前記遊技盤１３（装着部Ｈ）に対し着脱自在に装着されている。そのため、機種変更などにより遊技盤１３や主基板１８が交換される場合でも、前記カウンタ２６は非交換部品として扱うことができ、機種変更後も再利用（繰り返し利用）することができる。従って、遊技機１０の部品点数の削減や低資源化などに貢献することができる。また、故障や破損などにより前記カウンタ２６を交換する場合でも、その交換が容易となりメンテナンス性を向上させることができる。
【００４４】
（７）前記飾り部材２５には前記装着部Ｈと対応する位置に貫通孔２５ａが形成されている。そのため、遊技者は前記貫通孔２５ａを介してカウンタ２６の表示内容を視認することができる。従って、前記飾り部材２５が不透明状に形成されている場合でも表示内容を確認することができる。
【００４５】
（８）前記カウンタ２６には、遊技関連情報として賞球の未払出し個数を表示している。そのため、遊技者は、未払出し個数の表示変化から賞球の払出しが正確に行われていることを容易に確認することができる。また、遊技店側は前記カウンタ２６の表示内容から賞球の払出しが正常であるか、又は、異常であるかを判別することができ、遊技機１０への不正行為などの回避、故障や配線不良などの早期発見に貢献することができる。
【００４６】
（９）前記カウンタ２６は、遊技盤１３の後面側から装着部Ｈに対し装着されている。そのため、前記遊技盤１３に特別図柄表示装置２０、各入賞口２１〜２４及び飾り部材２５などが配設された完成後の遊技盤１３に対し前記カウンタ２６を装着することができ、組付性を向上させることができる。
【００４７】
（１０）前記カウンタ２６の装着部Ｈとして前記遊技盤１３に貫通孔１３ａが形成されている。そのため、遊技盤１３又は飾り部材２５に特別な構成を付加することなく前記カウンタ２６の装着を行うことができる。また、装着部Ｈを貫通孔１３ａとすることで組付時において前記カウンタ２６の位置決めが容易となり、組付性を向上させることができる。従って、遊技機１０の製造コストの増加抑制に貢献することができる。
【００４８】
（第２の実施形態）
次に、本発明に係る遊技機を具体化した第２の実施形態を図６及び図７に基づいて詳細に説明する。なお、以下の実施形態では、既に述べた実施形態と同一構成には同一番号を付し、その重複した説明を省略する。
【００４９】
図６には、図２に示す左右一対の飾り部材２５のうち前記遊技盤１３の右側に装着された前記飾り部材２５の後面側下部が示されており、同図において、前記飾り部材２５には前記カウンタ２６の装着部Ｈが一体的に形成されている。そして、前記装着部Ｈは、前記飾り部材２５の内部（空洞内）において前記カウンタ２６を構成する前記表示基板２７と略同一形状（略三角形状）の周壁３７により区画形成されている。また、前記周壁３７には、前記表示基板２７に設けられた複数（本実施形態では３カ所）の取着孔３０と対応する位置に取付部３８が形成されている。そして、前記各取付部３８には、その略中心に前記取着孔３０と同一径を有する取着孔３９が形成されている。
【００５０】
また、前記装着部Ｈの略中央には、前記表示基板２７に設けられた前記表示部２８と対応する位置に前記飾り部材２５を貫通して形成された視認窓部としての前記貫通孔２５ａが設けられている。そして、前記貫通孔２５ａの周囲には、当該貫通孔２５ａを囲むように周壁４０が設けられている。従って、前記カウンタ２６は、前記飾り部材２５の後面側から前記装着部Ｈに対して前記取着孔３０，３９を介してビス３２などにより装着される。また、前記各周壁３７，４０及び取付部３８は、その端面側が面一になるように形成されており、前記カウンタ２６（表示基板２７）は前記各端面に当接した状態で前記装着部Ｈに装着される。
【００５１】
そして、前記装着部Ｈの下部（飾り部材２５の後面側最下部の近傍）には、前記飾り部材２５を前記遊技盤１３に装着するための装着突起４１が設けられている。また、前記飾り部材２５の後面側最上部の近傍にも図示しない前記装着突起４１が設けられている。従って、前記飾り部材２５は、前記遊技盤１３に設けられた図示しない装着穴に前記装着突起４１を填め込むことで装着されるようになっている。
【００５２】
一方、前記遊技盤１３には、図７に示すように前記装着部Ｈの形成部位に対応して貫通孔１３ｂが形成されている。また、前記貫通孔１３ｂの形成位置は、前記遊技盤１３の非遊技領域Ｈ２であって右下隅とされ、前記装着部Ｈに前記カウンタ２６が装着された時の前記コネクタ２９の位置に対応している。そして、前記貫通孔１３ｂは、前記コネクタ２９の外周よりも大きい略長方形孔とされている。従って、前記カウンタ２６（コネクタ２９）に接続される配線３１は、前記貫通孔１３ｂを通って前記遊技盤１３の後面側に挿通され、前記配線３１は前記主基板１８に接続されるようになっている。
【００５３】
次に、前記装着部Ｈに前記カウンタ２６が装着される態様を説明する。
前記カウンタ２６は、前記遊技盤１３に装着する前の前記飾り部材２５の後面側に対して装着される。即ち、前記カウンタ２６は、前記表示部２８が前記貫通孔２５ａに対向するように前記装着部Ｈに対して位置決めされる。そして、前記カウンタ２６は、前記取着孔３０，３９を介してビス３２などにより前記装着部Ｈに装着される。なお、前記コネクタ２９には前記配線３１の一端側を接続し、他端側は前記主基板１８に接続していない状態とする。
【００５４】
そして、前記飾り部材２５は、前記装着部Ｈに前記カウンタ２６が装着された状態で前記遊技盤１３に対し装着される。このとき、前記遊技盤１３の貫通孔１３ｂには前記配線３１の他端側が挿通され、前記配線３１は前記遊技盤１３の後面側に配置される。そして、前記飾り部材２５は、前記装着突起４１を前記遊技盤１３の装着穴に填め込むことで前記遊技盤１３に装着される。その後、前記遊技盤１３を前記中枠１２に装着すると共に前記配線３１の他端側を前記主基板１８に接続し、遊技機１０の組立を完了する。
【００５５】
その結果、前記カウンタ２６は、図１又は図２に示すように、前記飾り部材２５の貫通孔２５ａから前記表示部２８の表示内容が視認可能な状態とされる。そして、組立完了後の遊技機１０においてパチンコ遊技を開始すると、前記表示部２８には各入賞口２１〜２４における入賞検知や払出しに基づき変動する賞球の未払出し個数が随時遊技者に対し表示される。また、前記カウンタ２６（表示基板２７）は、前記第１の実施形態と同様に前記遊技盤１３の非遊技領域Ｈ２に配置される。さらに、前記カウンタ２６（表示基板２７）は、前記遊技盤１３の前面側に配置される。なお、前記配線３１は、前記カウンタ２６が装着された前記飾り部材２５を遊技盤１３に装着した後、当該遊技盤１３の後面側から前記貫通孔１３ｂを介してコネクタ２９に接続しても良い。
【００５６】
一方、遊技機１０の機種変更時に伴い前記遊技盤１３が交換される場合には、前記飾り部材２５を前記遊技盤１３から脱着する。その結果、前記カウンタ２６は、前記飾り部材２５と共に前記遊技盤１３から脱着される。そして、前記カウンタ２６が装着された状態の前記飾り部材２５を新たな遊技盤１３に装着することで、前記カウンタ２６では再び賞球の未払出し個数の表示が可能とされる。また、前記遊技盤１３の交換に伴い前記飾り部材２５も交換される場合、前記カウンタ２６は、前記ビス３２を取外すことで前記飾り部材２５から脱着可能となり、新たな飾り部材２５に対し再び装着することができる。
【００５７】
従って、本実施形態によれば、前記第１の実施形態の効果（１）〜（８）に加えて以下に示す効果を得ることができる。
（１１）前記カウンタ２６は、前記飾り部材２５の後面側に装着されている。そのため、前記カウンタ２６と飾り部材２５は、一体部品として扱うことができ、遊技機１０の製造工程を簡略化することができる。また、前記カウンタ２６と飾り部材２５は、ユニット単位で扱うことができるため、前記カウンタ２６の破損や紛失などを抑制することができる。
【００５８】
（１２）また、遊技機１０の機種変更時には、前記遊技盤１３から前記飾り部材２５を脱着することで、当該飾り部材２５を新たな遊技盤１３に対し再利用（繰り返し利用）することができる。従って、遊技機１０の部品点数の削減や低資源化などに貢献することができる。
【００５９】
（１３）前記装着部Ｈは、前記各周壁３７，４０から構成されている。そのため、前記飾り部材２５の製造時において既存の樹脂成形技術を使用して容易に前記装着部Ｈを前記飾り部材２５に対し一体成形することができる。また、前記各周壁３７，４０は、前記飾り部材２５の補強部材（リブ）としての機能も果たすため前記飾り部材２５の強度を向上させることができる。
【００６０】
（１４）前記遊技盤１３には、前記カウンタ２６のコネクタ２９と対応する位置に貫通孔１３ｂが形成されている。そのため、前記カウンタ２６と主基板１８を接続する配線３１は、前記貫通孔１３ｂを介して遊技盤１３の後面側に挿通することができる。従って、遊技機１０における配線経路を簡略化することができる。
【００６１】
（１５）前記カウンタ２６（表示基板２７）は、前記遊技盤１３の前面側に配置されるように前記飾り部材２５に装着されている。そのため、遊技盤１３の貫通孔１３ｂは、前記コネクタ２９（又は配線３１）の大きさに対応させればよく、表示基板２７の大きさに対応させた貫通孔１３ｂを形成する場合に比して、遊技盤１３の製造を容易に行うことができる。また、遊技盤１３に対し飾り部材２５を装着する際の位置決めが前記装着突起４１と装着穴のみにより決定されるため、組み付け性を向上させることができる。
【００６２】
なお、前記各実施形態は以下のように変更してもよい。
・前記第１の実施形態では、前記カウンタ２６が遊技盤１３の後面側に対しビス３２などにより装着されているが、例えば、図３（二点鎖線で示す。）及び図８に示すように弾性部材３５からなる装着手段を使用して前記装着部Ｈに前記カウンタ２６を装着しても良い。即ち、図８（ａ）に示す前記弾性部材３５は、前記表示部２８の外側面側に配置されており、当該弾性部材３５の先端部３６は鉤状（フック状）に形成されると共に、前記弾性部材３５は前記先端部３６が飾り部材２５の前面側（貫通孔２５ａの前側開口縁）に係止可能な長さを備えている。なお、前記弾性部材３５は、常時、その先端部３６が拡開する方向に付勢されている。そして、前記遊技盤１３の貫通孔１３ａに対し表示部２８及び弾性部材３５を挿通させ、当該弾性部材３５の先端部３６を前記飾り部材２５の前面側に係止することで前記カウンタ２６を前記遊技盤１３に対し装着することができる。また、前記第２の実施形態において、前記カウンタ２６は、図８（ａ）に示す前記弾性部材３５により前記飾り部材２５（装着部Ｈ）に装着しても良い。
【００６３】
・また、図８（ｂ）に示す弾性部材３５も前記表示部２８の外側面側に配置されており、前記弾性部材３５は遊技盤１３の厚みと略同一の長さを備えている。そして、前記弾性部材３５は、常時、その先端側が拡開する方向に付勢されている。従って、前記弾性部材３５の付勢力に反して前記遊技盤１３の貫通孔１３ａに対し表示部２８及び弾性部材３５を挿通することで前記弾性部材３５が前記貫通孔１３ａ内で嵌合される。その結果、前記カウンタ２６は装着部Ｈ（貫通孔１３ａ）に対し前記弾性部材３５の付勢力により装着される。そのため、図８（ａ），（ｂ）に示す弾性部材からなる装着手段を使用することで、前記カウンタ２６をワンタッチ操作で前記装着部Ｈに対し装着することができる。なお、前記カウンタ２６を脱着する際には、前記飾り部材２５の前面側から前記弾性部材３５の係止状態を解除し、前記カウンタ２６を機裏側に引き抜くことで装着部Ｈから脱着することができる。
【００６４】
・前記第１の実施形態では、前記カウンタ２６を遊技盤１３の後面側から装着し、前記カウンタ２６の表示基板２７が遊技盤１３の後面側に配置される装着形態（第１の装着形態とする。）となっているが、前記カウンタ２６の装着形態は適宜変更することができる。即ち、前記第１の装着形態の他に、遊技盤１３の前面側から装着し前記表示基板２７を遊技盤１３の後面側に配置する第２の装着形態、遊技盤１３の前面側から装着し前記表示基板２７を遊技盤１３の前面側に配置する第３の装着形態、遊技盤１３の後面側から装着し前記表示基板２７を遊技盤１３の前面側に配置する第４の装着形態が考えられる。
【００６５】
・まず、第２の装着形態では、遊技盤１３の貫通孔１３ａを前記表示基板２７と略同一の形状・大きさで形成し、飾り部材２５の装着前に前記表示基板２７を含めて前記カウンタ２６を前記遊技盤１３の前面側から挿通し装着する。この場合、図８（ａ），（ｂ）に示す弾性部材３５を表示基板２７の前面側に設け、前記貫通孔２５ａの前面側に係止、あるいは、前記貫通孔１３ａ内に嵌合する。
【００６６】
・また、前記第３の装着形態では、装着部Ｈとして前記第１の実施形態のような貫通孔１３ａを形成し、飾り部材２５の装着前に前記カウンタ２６を前記貫通孔１３ａに対応させた状態で遊技盤１３の前面側に装着する。この場合、ビス、あるいは、表示基板２７の後面側に前記貫通孔１３ａの後側開口縁に係止する弾性フックを設けて装着する。そして、主基板１８から延設された配線３１を前記貫通孔１３ａを介して前記カウンタ２６のコネクタ２９に接続する。なお、前記貫通孔１３ａの大きさは、コネクタ２９に対し配線３１の接続を許容する大きさとなっている。また、第３の装着形態では、溝状の装着部Ｈや、前記遊技盤１３に孔や溝を形成することなく直接装着しても良い。これらの場合、前記カウンタ２６は、遊技盤１３の前面側あるいは飾り部材２５にビスなどにより装着する。また、前記カウンタ２６への配線接続は、飾り部材２５の側方側などから行うようにする。
【００６７】
・さらに、前記第４の装着形態では、前記第２の装着形態と同様に遊技盤１３の貫通孔１３ａを前記表示基板２７と略同一の形状・大きさで形成する。そして、飾り部材２５の装着後、配線３１が接続された状態のカウンタ２６を遊技盤１３の後面側から前記表示基板２７を含めて挿通し装着する。この場合も前記第３の装着形態と同様に表示基板２７の後面側に弾性フックを設けて装着する。また、飾り部材２５の前面側からビスなどにより装着しても良い。
【００６８】
・前記第１の実施形態では、前記表示基板２７と表示部２８との間に支持台Ｄを介在しているが、前記表示部２８が前記飾り部材２５の貫通孔２５ａの開口縁近傍に位置する場合には前記支持台Ｄを省略することができる。例えば、前記表示基板２７を前記遊技盤１３の前面側に取着する場合や前記表示部２８単独で十分な高さを有している場合には前記支持台Ｄを省略しても良い。
【００６９】
・前記第２の実施形態では、飾り部材２５に前記カウンタ２６を装着した後、当該飾り部材２５を遊技盤１３に装着しているが、前記飾り部材２５を遊技盤１３に装着した後、前記飾り部材２５に対し前記カウンタ２６を装着しても良い。この場合、前記貫通孔１３ｂを前記カウンタ２６の表示基板２７が挿通可能な形状・大きさで形成し、前記遊技盤１３の後面側から前記カウンタ２６を飾り部材２５の装着部Ｈに対し装着する。
【００７０】
・前記第２の実施形態では、前記貫通孔１３ｂが前記カウンタ２６のコネクタ２９よりも大きく形成されているが、前記貫通孔１３ｂの大きさは適宜変更することができる。即ち、前記貫通孔１３ｂは少なくとも配線３１の挿通を可能とする大きさであれば良く、例えば、前記コネクタ２９と略同一の大きさや前記表示基板２７と略同一の大きさで形成されていても良い。
【００７１】
・前記第２の実施形態では、前記カウンタ２６が装着部Ｈに装着されると、その表示基板２７が前記遊技盤１３の前面側に配置されるようになっているが、必ずしも遊技盤１３の前面側に配置される必要はない。例えば、前記貫通孔１３ｂが前記表示基板２７と略同一の大きさで形成されている場合、装着部Ｈに装着されたカウンタ２６の表示基板２７が前記貫通孔１３ｂの途中に配置されていても良い。
【００７２】
・前記第２の実施形態では、前記装着部Ｈが前記各周壁３７，４０及び取付部３８から構成されているが、前記各周壁３７，４０を省略し、前記取付部３８のみで前記装着部Ｈを構成しても良い。
【００７３】
・前記各実施形態では、不透明状の飾り部材２５に貫通孔２５ａを形成して前記カウンタ２６の表示内容を視認可能としていたが、例えば、飾り部材２５において前記装着部Ｈ（表示部２８）と対応する位置に透明又は半透明の透視部を設けてもよい。この場合、前記カウンタ２６（表示部２８）の表面（前面）は透視部を有する飾り部材２５で覆われた形態となり、前記透視部を介してカウンタ２６の表示内容を視認することができる。また、前記飾り部材２５の全体を透明又は半透明に形成することで前記飾り部材２５全体を透視部とし、前記カウンタ２６の表示内容を視認可能にしても良い。さらに、前記貫通孔２５ａに透明又は半透明のレンズ部材を装着しても良い。この場合、前記カウンタ２６（表示部２８）の表面（前面）は透視部としてのレンズ部材により覆われている。そして、前記カウンタ２６の表面を前記飾り部材２５又はレンズ部材で覆うことで、前記カウンタ２６を確実に保護することができる。
【００７４】
・前記各実施形態では、遊技盤１３の下方側（右下隅）の非遊技領域Ｈ２に前記カウンタ２６を配置したが、前記透視窓部１４ａの領域において前記カウンタ２６が遊技者から視認できる場所であれば、その配置は特に限定されない。例えば、前記非遊技領域Ｈ２の左右上隅が透視窓部１４ａの領域内に位置する遊技機１０であれば、その場所に前記カウンタ２６が配置されていても良い。
【００７５】
・前記各実施形態では、遊技盤１３の貫通孔１３ａ，１３ｂや飾り部材２５の貫通孔２５ａが略長方形孔に形成されているが、孔の形状は特に限定されない。例えば、楕円孔であっても良い。
【００７６】
・前記各実施形態における賞球の未払出し個数の表示は、賞球総数を管理している遊技機であれば、セーフ球検出装置の搭載／未搭載に拘わらず適用することができる。
【００７７】
・前記各実施形態では、主基板１８において賞球総数が管理されているが、当該賞球総数を前記払出し制御基板３３側で管理し、当該賞球総数を前記カウンタ２６に表示させても良い。
【００７８】
・前記各実施形態では、遊技関連情報として前記カウンタ２６に賞球の未払出し個数を表示したが、遊技状態に伴い変動する情報であれば、その表示内容は特に限定されない。例えば、表示内容として普通図柄、大当たり遊技に伴うラウンド数や入賞個数、プリペイドカードの残金額、若しくは、エラー（例えば、過剰払出しや賞球の払出しエラー）などを表示させても良い。また、これらの情報を適宜組み合わせて表示させても良い。
【００７９】
・前記各実施形態では、前記装着部Ｈに装着された前記カウンタ２６の表示部２８の前面が前記飾り部材２５の内部（空洞内）に位置しているが、前記飾り部材２５の前面と略面一であっても良い。また、前記飾り部材２５の貫通孔２５ａから突出していても良い。
【００８０】
・前記各実施形態では、前記カウンタ２６に３桁の数値が表示できるようになっているが、前記発光体２８ａ〜２８ｃの数を増やし、例えば、４桁の数値を表示できるようにしても良い。
【００８１】
・前記各実施形態では、前記カウンタ２６が着脱自在に装着されているが、着脱不能に装着しても良い。例えば、ビス３２による装着に代えて、接着などにより装着しても良い。
【００８２】
次に上記実施形態及び別例から把握できる技術的思想を以下に追記する。
【００８３】
（イ）  請求項１に記載の遊技機において、前記飾り部材には前記装着部と対応する位置に透視部を備えており、前記表示装置の表面は前記透視部によって覆われている。
【００８５】
（ロ）  請求項１に記載の遊技機において、前記表示装置は、前記遊技盤の前面側に配置されるように前記装着部の形成部位に対応して装着されている。
【００８６】
【発明の効果】
本発明によれば、遊技盤の非遊技領域を有効に利用して賞球の未払出しに係る遊技関連情報を遊技者に対し表示することができる。
【図面の簡単な説明】
【図１】  パチンコ遊技機の機表側を示す正面図。
【図２】  遊技盤を示す正面図。
【図３】  （ａ）は未払出し個数カウンタの前面側を示す正面図、（ｂ）は未払出し個数カウンタの後面側を示す背面図。
【図４】  第１の実施形態において、（ａ）は遊技盤に形成された装着部（貫通孔）を示す遊技盤の背面図、（ｂ）は（ａ）におけるＡ−Ａ線断面図。
【図５】  パチンコ遊技機の電気的構成を示すブロック図。
【図６】  第２の実施形態において、飾り部材の後面側に形成された装着部を示す背面図。
【図７】  同じく、（ａ）は遊技盤に形成された貫通孔を示す遊技盤の背面図、（ｂ）は（ａ）におけるＢ−Ｂ線断面図。
【図８】  未払出し個数カウンタの他の装着形態を示す断面図。
【符号の説明】
Ｈ…装着部、Ｈ２…非遊技領域、１０…パチンコ遊技機（遊技機）、１３…遊技盤、１３ａ…貫通孔（装着部Ｈを構成する）、１３ｂ…貫通孔、１８…主基板（主制御手段）、２５…飾り部材、２５ａ…貫通孔（透視窓部）、２６…未払出し個数カウンタ（表示装置）。
【図１】
0003806307.tif 000002
【図２】
0003806307.tif 000003
【図３】
0003806307.tif 000004
【図４】
0003806307.tif 000005
【図５】
0003806307.tif 000006
【図６】
0003806307.tif 000007
【図７】
0003806307.tif 000008
【図８】
0003806307.tif 000009